(57)【要約】【課題】本発明は、型鋼部材を連結した方形筒部と、前記方形筒部に底板および天板を設けた型鋼タンクに関するもので、作製が容易であり、タンクの組み立てが迅速にできる安価な型鋼タンクに関するものである。【解決手段】本発明の型鋼タンクは、型鋼部材を連結した方形筒部と、前記方形筒部の底板および天板とから少なくとも構成されている。前記型鋼部材は、タンクの側部を形成する側板部と、前記側板部の両側を折り曲げて一体に連設された断面コ字状部と、前記側板部の上端および下端の一部を内側（断面コ字状部側）に折り曲げて一体に成形されている側部部材とが１単位となっている。前記型鋼部材は、断面コ字状部の側面を互いに複数個連設して方形筒部材を構成している。前記底板および天板は、四辺を折り曲げた箱状部材からなり、前記折り曲げられたフランジ部を互いに連結している。また、前記底板および天板は、前記方形筒部材の上部および下部に取り付けられて方形タンクを構成する。【選択図】図３
2010269826.tif 000002
【特許請求の範囲】
【請求項１】
側板部、前記側板部の両側を折り曲げて一体に連設された断面コ字状部、前記側板部の上端および下端を折り曲げて一体に成形されている側部部材、を１単位とする型鋼部材と、
前記型鋼部材の断面コ字状部の側面どうしを互いに接触するように接続して構成されている方形筒部材と、
四辺を折り曲げて一体に成形されたフランジ部を備えて１単位とする箱状部材と、
前記箱状部材のフランジ部を互いに連結するとともに、前記方形筒部材の上部および下部に連結して設けられた底板および天板と、
から少なくとも構成されていることを特徴とする型鋼タンク。
【請求項２】
前記方形筒部材は、前記側部部材を介して縦方向に積み重ねていることを特徴とする請求項１に記載された型鋼タンク。
【請求項３】
前記方形筒部材および／または底板と天板は、アングル部材によって補強されていることを特徴とする請求項１または請求項２に記載された型鋼タンク。
【請求項４】
前記方形筒部材は、四隅がアングル部材によって補強されていることを特徴とする請求項１から請求項３のいずれか１項に記載された型鋼タンク。
【請求項５】
前記型鋼部材の上端および下端、断面コ字状部の側部、側部部材、前記底板および天板のフランジ部は、複数個の孔が設けられていることを特徴とする請求項１から請求項４のいずれか１項に記載された型鋼タンク。
【請求項６】
前記型鋼部材、底板、天板、およびアングル部材は、互いに接続される部分にパッキングが介在されていることを特徴とする請求項１から請求項５のいずれか１項に記載された型鋼タンク。
【発明の詳細な説明】
【技術分野】
【０００１】
本発明は、型鋼部材を連結した方形筒部と、前記方形筒部に底板および天板を設けた型鋼タンクに関するものである。また、本発明は、パネル板と補強部材を一つの型鋼により一体にした型鋼タンクに関するものである。さらに、本発明は、前記型鋼部材の作製が容易であり、タンクの組み立てが迅速にできる安価な型鋼タンクに関するものである。
【背景技術】
【０００２】
従来のパネル板と補強部材とから構成されるパネルタンクは、予め決められた寸法のパネル単板を複数個接続してタンクを組み立てた後、側部の耐水圧性および／または耐震性を保持するために、たとえば、型鋼部材等の外部補強部材を設ける必要があった。そのため、前記パネルタンクは、パネルを組んだ後、外部補強部材を取り付ける工程が必要であった。
【０００３】
図５（イ）は従来の型鋼タンクの側部を説明するための図、（ロ）は型鋼材を補強する断面コ字状の型鋼を説明するための図である。図５（イ）において、型鋼材５１は、平板の両側を折り曲げ、全体の断面がコ字状になるように成形されている。前記型鋼材５１は、側部どうしをボルト・ナット５３により接続する。前記型鋼材５１は、側部どうしを連続して接続することにより、タンク筒部（図示されていない）ができ、底板および天板、あるいはマンホール、配管等を設けることにより完成する。
【０００４】
しかし、前記型鋼タンクは、大きさが大きくなると、耐水圧性あるいは耐震性に対する問題が発生する。前記型鋼タンクは、前記耐水圧性あるいは耐震性に対する問題を解決するために、図５（ロ）に示す、両側部を断面コ字状に折り曲げて一体に成形された型鋼５４、５５の側部どうしを背中合わせにするとともに、アングル部材５２、５２′を介して接続される。また、前記二つの型鋼材５１、５１′は、アングル部材５２、５２′を介して接続されるとともに、両側の断面がコ字状の型鋼５４、５５が前記アングル部材５２、５２′を介して、ボルト・ナット５６、５７により固定される。また、特開２００１−１７１７８７号公報に記載されているパネルタンクは、周囲のパネルと強度を持たせる型鋼から構成されている。
【先行技術文献】
【特許文献】
【０００５】
【特許文献１】特開２００１−１７１７８７号公報
【発明の概要】
【発明が解決しようとする課題】
【０００６】
従来のパネル板と補強部材とから構成される型鋼タンクは、予め決められた寸法のパネル単板を複数個接続してタンクを組み立てた後、側部の水圧および／または耐震強度を保持するために、外部補強部材を設ける必要があった。そのため、前記型鋼タンクは、パネルを組んだ後、外部補強部材を取り付ける工程が必要であった。特に、図５（イ）および（ロ）に示すタンクは、部品数が多く、作製に時間がかかるとともに、高価なものとなった。
【０００７】
以上のような課題を解決するために、本発明は、断面コ字状に折り曲げられた型鋼を連設して方形筒部を構成するとともに、前記型鋼に取り付けられる箱状部材からなる底板および天板を組み立てるだけで、迅速、かつ、作製が容易であると同時に、補強工事が不要になる型鋼タンクを提供することを目的とする。
【課題を解決するための手段】
【０００８】
（第１発明）
第１発明の型鋼タンクは、  側板部、前記側板部の両側を折り曲げて一体に連設された断面コ字状部、前記側板部の上端および下端を折り曲げて一体に成形されている側部部材、を１単位とする型鋼部材と、前記型鋼部材の断面コ字状部の側面どうしを互いに接触するように接続して構成されている方形筒部材と、四辺を折り曲げて一体に成形されたフランジ部を備えて１単位とする箱状部材と、前記箱状部材のフランジ部を互いに連結するとともに、前記方形筒部材の上部および下部に連結して設けられた底板および天板とから少なくとも構成されていることを特徴とする。
【０００９】
（第２発明）
第２発明の型鋼タンクにおいて、前記方形筒部材は、前記側部部材を介して縦方向に積み重ねていることを特徴とする。
【００１０】
（第３発明）
第３発明の型鋼タンクにおいて、前記方形筒部材および／または底板と天板は、アングル部材によって補強されていることを特徴とする。
【００１１】
（第４発明）
第４発明の型鋼タンクにおいて、前記方形筒部材は、四隅がアングル部材によって補強されていることを特徴とする。
【００１２】
（第５発明）
第５発明の型鋼タンクにおいて、前記型鋼部材の上端および下端、断面コ字状部の側部、側部部材、前記底板および天板のフランジ部は、複数個の孔が設けられていることを特徴とする。
【００１３】
（第６発明）
第６発明の型鋼タンクにおいて、前記型鋼部材、底板、天板、およびアングル部材は、互いに接続される部分にパッキングが介在されていることを特徴とする。
【発明の効果】
【００１４】
本発明によれば、折り曲げられた型鋼を連設して、方形筒部とするだけで、型鋼タンクの作製が容易、迅速であると同時に、補強工事が不要になる。また、本発明の型鋼タンクは、大きさを任意に変えることができる構成になっているとともに、タンク内部および角部の補強材をアングル部材とすることができるため、安価な型鋼タンクとすることができる。
【００１５】
本発明によれば、型鋼部材を使用した型鋼タンクは、特別な補強部材を側部に取り付けることがなく、耐水圧性および耐震性を向上させることができる。
【００１６】
本発明によれば、型鋼部材を一単位としてタンクの大きさを自由に設計できるため、安価な型鋼タンクができる。また、前記型鋼は、たとえば、鉄系鋼板、ステンレス系鋼板、その他の鋼板等を公知のベンダーにより任意に曲げて容易に作製できる。
【図面の簡単な説明】
【００１７】
【図１】（イ）は本発明の型鋼タンクの側面を説明するための正面図、（ロ）は二つの型鋼の接続を説明する全体斜視図である。（実施例１）
【図２】（イ）は本発明の天板または底板を説明する平面図、（ロ）は拡大正面図、（ハ）拡大側面図である。
【図３】本発明の一実施例である型鋼タンクを一部切欠いた全体説明図である。
【図４】本発明の第２実施例である型鋼タンクの側面補強および角部を説明するための図である。（実施例２）
【図５】（イ）は従来の型鋼タンクの側部を説明するための図、（ロ）は型鋼材を補強する断面コ字状の型鋼を説明するための図である。
【発明を実施するための形態】
【００１８】
（第１発明）
第１発明の型鋼タンクは、型鋼部材を連結した方形筒部と、前記方形筒部の底板および天板とから少なくとも構成されている。前記型鋼タンクは、前記天板にマンホールが設けられているとともに、その他の必要な配管等が設けられている。前記型鋼部材は、タンクの側部を形成する側板部と、前記側板部の両側を折り曲げて一体に連設された断面コ字状部と、前記側板部の上端および下端の一部を内側（断面コ字状部側）に折り曲げて一体に成形されている側部部材とが１単位となっている。前記型鋼部材は、断面コ字状部の側面を互いに複数個連設して方形筒部材を構成している。
【００１９】
前記底板および天板は、四辺を折り曲げた箱状部材からなり、前記折り曲げられたフランジ部を互いに連結している。また、前記底板および天板は、前記方形筒部材の上部および下部に取り付けられて方形タンクを構成する。本発明の型鋼タンクは、折り曲げられた型鋼を連設するだけで、所望の大きさのタンクが容易、かつ、迅速に組み立てられると同時に、補強工事が不要になる。また、型鋼部材は、両側に設けられた断面コ字部材を非対照に設けのことにより、タンクの角部に設けるアングル部材の取り付けを容易にする。
【００２０】
なお、「タンクの側部を形成する側板部」、「前記側板部の上端および下端の一部を内側に折り曲げて一体に成形されている側部部材」、「断面コ字状部の側面」、「タンクの側部」は、それぞれ区別して定義付けられている。前記「タンクの側部を形成する側板部」、「前記側板部の上端および下端の一部を内側に折り曲げて一体に成形されている側部部材」、「断面コ字状部の側面」、「タンクの側部」は、予め、接続部の必要な部分に孔が設けられている。また、「前記側板部の上端および下端の一部を内側に折り曲げて一体に成形されている側部部材」は、折り曲げ幅を短くし、型鋼の上下方向の接続を容易にしている。
【００２１】
（第２発明）
第２発明の型鋼タンクは、前記方形筒部材の側部部材を介して縦方向に積み重ねられている。前記型鋼部材は、側部方向および縦方向に連設することにより、任意の大きさの型鋼タンクを構成することができる。
【００２２】
（第３発明）
第３発明の型鋼タンクは、前記方形筒部材および／または底板と天板が、必要に応じて、アングル部材によって補強されている。前記型鋼タンクは、大型に作製する必要がある場合、天板の支持、あるいはタンクの左右、前後方向の補強が必要になる。前記アングル部材は、平板を一回折り曲げるだけであるため、安価な補強材となる。
【００２３】
（第４発明）
第４発明の型鋼タンクは、方形における角部の強度および水漏れに難点があった。そこで、型鋼タンクを構成する方形筒部材は、必要に応じて、四隅にアングル部材を当てることによって、角部の強度を向上させるとともに、水漏れを防止することができる。
【００２４】
（第５発明）
第５発明の型鋼タンクは、ボルトおよびナットによる接続が容易なように、前記型鋼部材の上端および下端、断面コ字状部の側面、側部部材、前記底板および天板のフランジ部に複数個の孔が設けられている。前記型鋼タンクは、ボルトおよびナットのみによる接続であるため、組み立てが容易で、かつ、迅速に作製される。
【００２５】
（第６発明）
第６発明の型鋼タンクは、前記型鋼部材、側部部材、底板、天板、およびアングル部材を接続する部分にパッキングが介在されているため、水密製が良好である。前記型鋼タンクは、内部に水のようなものを入れない場合、水密製が不要であるため、前記パッキングが不要である。前記型鋼部材は、パッキングを予めコーティングまたは接着させておくこともできる。
【実施例１】
【００２６】
図１（イ）は本発明の型鋼タンクの側面を説明するための正面図、（ロ）は二つの型鋼の接続を説明する全体斜視図である。図１（イ）および（ロ）において、型鋼タンクを構成する型鋼部材１１を説明する。前記型鋼部材１１は、側板部１１１と、前記側板部１１１の両端をコ字状に折り曲げた断面コ字状部１１２、１１２′と、前記側板部１１１の上部および下部に一部が折り曲げられた側部部材１１３、１１３′と、前記側板部１１１の上下、前記断面コ字状部１１２、１１２′の側部、前記側部部材１１３、１１３′に連結のための開孔群１１４、１１５、１１６が設けられている。前記型鋼部材１１は、１個が一単位となり、複数個を筒状に連設される。
【００２７】
図２（イ）は本発明の天板または底板を説明する平面図、（ロ）は拡大正面図、（ハ）拡大側面図である。図２（イ）から（ハ）において、天板３１および底板３５は、同じ形状のものである。前記天板３１は、一枚の鋼材の四辺を直角に折り曲げて箱状に成形される。前記折り曲げられた側部折り曲げ部３１１および端部折り曲げ部３１３は、タンクの側部を構成する図１に示された型鋼部材１１と接続されて、底板３５および天板３１により型鋼タンクができる。前記側部折り曲げ部３１１および端部折り曲げ部３１３は、互いに端部どうしを接続するための開孔群３１２、３１４が設けられている。
【００２８】
図３は本発明の一実施例である型鋼タンクを一部切欠いた全体説明図である。図３において、型鋼タンクは、まず、複数個からなる型鋼部材１１を連結して方形筒部を構成する。また、前記型鋼タンクは、方形筒部を組み立てた後、図２（イ）から（ハ）に示す天板３１および底板３５、マンホール３４、その他配管等必要な部品を取り付けることにより構成されている。
【００２９】
図３における型鋼タンクは、前記側板部１１１の上端および下端の一部を内側に折り曲げて一体に成形されている側部部材１１３、１１３′の部分により、上部方向に重ねることができ、大型のタンクとすることができる。また、前記型鋼タンクは、大型になった場合、図３に示すように、内部構造の強化が必要になる。前記内部構造の補強は、たとえば、アングル部材からなる梁３６、３７を用いることができる。前記アングル部材は、接続金具３８およびＴ字状金具３９を用いて接続される。また、型鋼部材１１の四隅は、必要に応じて、アングル部材４０、４０′を設けることができる。前記アングル部材４０、４０′は、型鋼部材１１と同様に、開孔群が設けられており、前記開孔群を互いに、ボルト・ナット等により接続される。
【００３０】
前記型鋼タンクは、前記方形筒部材の側部部材１１３、１１３′を介して縦方向に積み重ねらることができる。前記型鋼タンクは、型鋼１１と側部部材１１３、１１３′により、方形の任意の大きさにすることができる。また、型鋼と型鋼の間、型鋼とアングル部材の間は、必要に応じて、パッキング部材を入れて水密性を向上させることができる。
【実施例２】
【００３１】
図４は本発明の第２実施例である型鋼タンクの側面補強および角部を説明するための図である。図４において、型鋼４１は、角部専用であり、符号１１で示す型鋼と一方の端部の形状が異なっている。すなわち、型鋼４１、４１′は、一方が断面コ字状になっておらず、単なる突起部４１１、４１１′となっている。前記型鋼４１、４１′の突起部４１１、４１１′は、アングル部材４２を介して、ボルト・ナット４３、４４によって接続される。前記突起部４１１あるいはタンクの左右、前後方向の補強が必要になる。前記型鋼４１、４１′は、型鋼１１と比較して、安価であるだけでなく、コ字状断面の部分が無い分、ボルト・ナットによる取り付けの際の作業が容易になる。
【実施例３】
【００３２】
図１における型鋼部材１１の側板部１１１は、長方形になっているが、正方形または幅の広い長方形にすることだできる。また、前記型鋼部材１１の開孔群が設けてある面は、合成樹脂製部材を設けておき、型鋼タンクを組み立てる際に、パッキング部材を挟む手間を省略できるようにすることができる。
【００３３】
実施例１から実施例３に示された型鋼タンクは、たとえば、１０００ｍｍ×３０００ｍｍ、または５００ｍｍ×３０００ｍｍのものを作製し、これらを組み立てることにより、任意の大きさのものとすることができた。
【００３４】
以上、本発明の実施例を詳述したが、本発明は、前記本実施例に限定されるものではなく、特許請求の範囲に記載されている事項を逸脱することがなければ、種々の設計変更を行うことが可能である。本実施例における型鋼は、鋼材、ステンレス鋼等、公知または周知の材料を使用できる。また、前記型鋼は、公知または周知のベンダーにより、所望の形状に折り曲げることができる。
【符号の説明】
【００３５】
１１・・・型鋼部材
１１１・・・側板部
１１２、１１２′・・・断面コ字状部
１１３、１１３′・・・側部部材
１１４、１１５、１１６・・・開孔群
３１・・・天板
３１１・・・側部折り曲げ部
３１２・・・開孔群
３１３・・・端部折り曲げ部
３１４・・・開孔群
３４・・・マンホール
３５・・・底板
３５′・・・開孔群
３６、３７・・・梁
３８・・・接続金具
３９・・・Ｔ字金具
４０、４０′・・・アングル部材
４１、４１′・・・型鋼
４１１、４１１′・・・突起部
４２・・・アングル部材
４３、４４・・・ボルト・ナット
【図１】
2010269826.tif 000003
【図２】
2010269826.tif 000004
【図３】
2010269826.tif 000005
【図４】
2010269826.tif 000006
【図５】
2010269826.tif 000007